(57)【要約】
【課題】接着剤を用いずに札部と台座とを容易に連結でき、さらに、容易に札部に文字を書き記すことができる位牌の実現を課題とする。
【解決手段】台座２０と、該台座２０の上面から上方に突出した連結棒６０と、下面に装着孔１１を有し、装着孔１１への連結棒６０の挿入により台座２０と着脱可能に連結される札部１０とを備えることを特徴とするペット用位牌１。連結棒６０は、断面が円形状に形成されており、離間して複数本備えられていることを特徴とする。台座２０は、連結棒６０が挿入される複数の挿入孔を備え、札部１０は、台座２０の複数の挿入孔の配設間隔とは異なる間隔で配設された複数の装着孔１１を備え、連結棒６０は、挿入孔と、装着孔１１とに挿入された状態で直線状から曲折変形していることを特徴とする。
【選択図】図１
0003100790.tif 000002
【実用新案登録請求の範囲】
【請求項１】
台座と、
該台座の上面から上方に突出した連結棒と、
下面に装着孔を有し、該装着孔への前記連結棒の挿入により前記台座と着脱可能に連結される札部と
を備えることを特徴とするペット用位牌。
【請求項２】
前記連結棒は、断面が円形状に形成されており、離間して複数本備えられていることを特徴とする請求項１に記載のペット用位牌。
【請求項３】
前記台座は、前記連結棒が挿入される複数の挿入孔を備え、
前記札部は、前記台座の複数の挿入孔の配設間隔とは異なる間隔で配設された複数の前記装着孔を備え、
前記連結棒は、前記挿入孔と、前記装着孔とに挿入された状態で直線状から曲折変形していることを特徴とする請求項２に記載のペット用位牌。
【考案の詳細な説明】
【技術分野】
【０００１】
本考案は、ペット用位牌に関する。
【背景技術】
【０００２】
従来から、位牌には種々のものが存在し、近年ではペット用の位牌も登場した。図５に示すように、こうした位牌１００は、台座１２０の上面から立設し文字を書き記す札部１１０を備えるものであるが、台座１２０の上面と札部１１０の下面とを接着剤にて接着しており、接着剤によらなければ札部１１０と台座１２０とは連結しなかった。
【０００３】
また、こうした位牌１００の札部１１０には、多くの場合、ペットの飼い主だった者が自ら、亡きペットを偲び、ペットの名前等の文字を書き記していた。
【考案の開示】
【考案が解決しようとする課題】
【０００４】
しかしながら、上記位牌によれば、札部と台座とを分離させた状態にて、札部に文字を書き記した後、札部と台座とを接着剤にて接着する場合、接着剤が乾いて接着が完了するまでに長時間を要することから容易に連結できなかった。
【０００５】
また、予め札部と台座とを接着した場合であれば、机上等の平面上に位牌を奥行き方向に倒して載置し、札部に文字を書き記すこととなった。このとき、札部は、台座との奥行きの寸法の違いから、机等の平面に対して当然、傾斜した。傾斜した札部に正確に文字を書き記すことは困難である上、筆記用具を持った手が位牌の台座に当たる等して札部に文字を書き記すことが妨害された。こうしたことから、しばしば書き仕損じることとなった。
【０００６】
本考案は、上記実状を鑑みてなされたものであり、接着剤を用いずに札部と台座とを容易に連結でき、さらに、容易に札部に文字を書き記すことができる位牌の実現を課題とする。
【課題を解決するための手段】
【０００７】
課題を解決するための主な手段は、
「台座と、
該台座の上面から上方に突出した連結棒と、
下面に装着孔を有し、該装着孔への前記連結棒の挿入により前記台座と着脱可能に連結される札部と
を備える」
ものである。
【０００８】
上記構成によれば、文字を書き記した札部を台座から突出した連結棒に装着すれば、容易に札部と台座とを連結することができ、しかも、札部は台座と着脱可能に連結されていることから、札部を、台座に一度装着した後、再度分離させることも可能である。
【０００９】
上述のように、札部は、台座から突出した連結棒にて台座と着脱可能に連結される。連結棒により台座と連結された札部は、連結棒の突出方向へ引張することにより台座から分離する。したがって、札部に文字を書き記すに際しては、札部を台座から分離することが可能である。台座から分離された札部によれば、机上等の平面上に平行に載置することができ、筆記用具を持った手が台座に当たらず文字を書き記すことが妨害されず、良好に札部に文字を書き記すことができる。
【００１０】
上記構成によれば、接着剤を用いずに札部と台座とを容易に連結でき、容易に文字を書き記すことができるペット用位牌とすることができる。
【００１１】
上述した手段において、
「前記連結棒は、断面が円形状に形成されており、離間して複数本備えられている」
ものとしてもよい。
【００１２】
部材を相互に連結する連結棒としては、一般に、断面が円形状のものが普及していることから、上記構成において、断面が円形状の棒を連結棒として採用することが好適である。
【００１３】
しかしながら、札部と台座とを、断面が円形状の１本の連結棒で連結すると、連結棒を中心として、連結棒の突出方向とは略直交する方向へ札部と台座とが相互に回転してしまう虞がある。しかし、上記構成によれば、札部は、離間して備えられた複数本の連結棒にて台座と連結されることから台座に対する回転が規制される。したがって、札部を台座に、回転することなく固定できる。
【００１４】
上述した手段において、
「前記台座は、前記連結棒が挿入される複数の挿入孔を備え、
前記札部は、前記台座の複数の挿入孔の配設間隔とは異なる間隔で配設された複数の前記装着孔を備え、
前記連結棒は、前記挿入孔と、前記装着孔とに挿入された状態で直線状から曲折変形している」
ものとしてもよい。
【００１５】
ところで、これまでの構成によれば、台座と札部とが着脱可能に連結棒にて連結された状態において、連結棒は、台座から、連結棒の長手方向へ、札部の分離を抑制しない。したがって、台座を手に持ち位牌を倒立させたり、札部をつまんで位牌を持ち上げる等すれば、札部が台座から容易に分離してしまう虞がある。そこで、上記構成により、台座と札部とを容易に分離させないで連結できるように、連結棒と、挿入孔と装着孔との関連を特定したものである。
【００１６】
ここで、台座と札部とを連結する以前の各連結棒の形状は、直線状であるが、挿入孔と装着孔とに挿入されると、直線状から曲折変形させられるものである。したがって、連結棒の素材は、挿入孔と装着孔とに挿入されると容易に曲折変形するものであり、例えば、小寸の木材、小寸の弾性樹脂等によるもの挙げられる。なお、曲折変形とは、連結棒を、クランク状、弓状、Ｓ字状、あるいは蛇行状等の曲折状へ変形させることである。
【００１７】
上記構成によれば、台座の上面と、札部の下面とを当接させた状態において、挿入孔と装着孔とは位置ズレを起こした状態、すなわち、相互にオフセットした状態となる。したがって、挿入孔に連結棒の一端側を挿入し、台座からさらに上方に突出した他端側に装着孔を挿入させ、台座の上面に札部の下面を当接させた状態では、その当接部分付近において、連結棒は、挿入孔内及び、装着孔内にて、挿入孔と装着孔との相互のオフセット量分だけ、直線状から曲折状に曲折変形させられる。曲折状に曲折変形させられた連結棒は、直線状に復元しようとする復元力により、挿入孔と装着孔との内壁に強く当接し、これを押圧する押圧力を生じる。この押圧力により、挿入孔と装着孔に挿入された連結棒の摺動が抑制され、札部が台座から容易に分離することを抑制する。
【００１８】
このことから、札部と台座とは脱着可能に連結されていながらも、挿入孔と装着孔との配設距離を異ならせ、連結棒を直線状から曲折状に曲折変形させたことによって、札部と台座とを容易には分離し難く堅固に連結されている。
【考案の効果】
【００１９】
上述の通り、本考案によれば、接着剤を用いずに札部と台座とを容易に連結でき、さらに、容易に札部に文字を書き記すことができるペット用位牌を実現できる。
【考案を実施するための最良の形態】
【００２０】
本考案に係るペット用位牌の実施形態を、以下に図面に基づいて説明する。
【００２１】
図１に、本考案に係るペット用位牌の一例を示す。この位牌１は、板状の木製の札部１０と木製の台座２０とを、直線状に形成され断面が円形状に形成された２本の小寸の木製の連結棒６０により連結され構成されており、札部１０は、台座２０から着脱可能に連結されている。
【００２２】
ここで、台座２０は、夫々略方形状に形成された第１台座部材３０、第２台座部材４０、第３台座部材５０により構成されている。具体的には、第１台座部材３０の上面に、第２台座部材４０の下面を、第２台座部材４０の上面に、第３台座部材５０の下面を、当接し、積重されたものであり、本例においては、これら各台座部材３０、４０、５０は、連結棒６０にて連結されて台座２０を構成している。
【００２３】
また、第１台座部材３０の上面には２つの第１挿入孔３１が穿設されており、第２台座部材４０には上面から下面に貫通した２つの第２挿入孔４１が穿設されており、第３台座部材５０には上面から下面に貫通した２つの第３挿入孔５１が穿設されており、各台座部材３０、４０、５０の各挿入孔３１、４１、５１が連通して台座２０全体において、連結棒６０が挿入される挿入孔２１を構成している（図２参照）。なお、第１台座部材３０の第１挿入孔３１には底があり、第１台座部材３０の下面に貫通していない。
【００２４】
図２に示すように、台座２０は挿入孔２１を有し、連結棒６０の一端側が挿入孔２１に挿入されて、各台座部材３０、４０、５０を連結して台座２０を構成している。
【００２５】
本例においては、台座２０の挿入孔２１を構成する各台座部材３０、４０の各挿入孔３１、４１は相互にオフセットして連通し、台座２０の挿入孔２１を構成している。具体的には、第１台座部材３０の各第１挿入孔３１同士の配設距離と、第２台座部材４０の各第２挿入孔４１同士の配設距離とは異なり、各第１挿入孔３１同士の配設距離は、各第２挿入孔４１同士の配設距離よりも長い寸法である。なお、各第２挿入孔４１同士の配設距離と、各第３挿入孔５１同士の配設距離との寸法は略同一であり、各第３挿入孔５１と各第２挿入孔４１とは相互にオフセットしていない。
【００２６】
したがって、第１台座部材３０の上面と第２台座部材４０の下面、第２台座部材４０の上面と第３台座部材５０の下面とを当接して積重し、台座２０を構成した状態においては、第１台座部材３０の各第１挿入孔３１と、第２台座部材４０の各第２挿入孔４１とは、図３（ａ）に示すように相互にオフセットした状態となる。
【００２７】
このことから、台座２０の挿入孔２１に連結棒６０の一端側が挿入された状態では、第１台座部材３０と第２台座部材４０との当接部分付近において、各連結棒６０は、第１、第２台座部材３０、４０との各挿入孔３１、４１内にて、各第１挿入孔３１と各第２挿入孔４１との相互のオフセット量分だけ、直線状からクランク状に曲折変形させられる。クランク状に曲折変形させられた各連結棒６０は、直線状に復元しようとする復元力により、各挿入孔３１、４１の内壁に強く当接し、これを押圧する押圧力を生じる。この押圧力により、第１、第２台座部材３０、４０の各挿入孔３１、４１に挿入された各連結棒６０の摺動が抑制され、第１台座部材３０と第２台座部材４０との相互の容易な分離を抑制する。なお、第３台座部材５０は、第３挿入孔５１に各連結棒６０が挿入されているものの、第３挿入孔５１と第２挿入孔４１とは、相互にオフセットしていないことから、第２台座部材４０の上面に、下面を当接して積重されているのみであり、第２台座部材４０との分離は容易となっている。
【００２８】
以上のように、各台座部材３０、４０、５０の各挿入孔３１、４１、５１には、連結棒６０の一端側が挿入されて連結され、接着剤を用いることなく台座２０を構成しているが、連結棒６０の他端側が台座２０の上面からさらに上方に突出している。この連結棒６０の他端側が札部１０の装着孔１１に挿入され、札部１０と台座２０とが連結されている。なお、装着孔１１は、札部１０の下面に２つ穿設されており、札部１０の上面に貫通していない。
【００２９】
図２、及び、図３（ａ）に示すように、連結棒６０の他端側が札部１０の装着孔１１に挿入され、札部１０の下面は、台座２０の上面に当接している。
【００３０】
本例においては、札部１０の各装着孔１１と台座２０の各挿入孔２１とは相互にオフセットして連通するものである。具体的には、札部１０の各装着孔１１同士の配設距離と、台座２０の各挿入孔２１同士の配設距離とは異なり、札部１０の各装着孔１１同士の配設距離は、台座２０の各挿入孔２１同士の配設距離よりも長い寸法である。
【００３１】
したがって、札部１０の下面と、台座２０の上面とを当接して、本考案に係る位牌１を構成した状態においては、各装着孔１１と、各挿入孔２１とは、図３（ｂ）に示すように相互にオフセットした状態となる。なお、図３（ｂ）は、図３（ａ）のＡ部拡大図である。
【００３２】
このことから、図３（ａ）及び（ｂ）に示すように、各装着孔１１に各連結棒６０の他端側が挿入された状態では、札部１０と台座２０との当接部分付近において、各連結棒６０は、各装着孔１１内と各挿入孔２１内とにて、各装着孔１１と各挿入孔２１との相互のオフセット量分だけ、直線状からクランク状に曲折変形させられる。クランク状に曲折変形させられた各連結棒６０は、直線状に復元しようとする復元力により、各装着孔１１、各挿入孔２１の内壁に強く当接し、これを押圧する押圧力を生じる。この押圧力により、札部１０と台座２０との各装着孔１１、各挿入孔２１に挿入された各連結棒６０の摺動が抑制され、札部１０と台座２０とが相互に容易に分離することを抑制する。これにより、接着剤を用いることなく、札部１０と台座２０とは各連結棒６０にて連結され、位牌１を構成するものである。
【００３３】
ここで、台座２０を構成する第３台座部材５０に関して、本例においては、各第３挿入孔５１にも各連結棒６０が挿入されているが、各第３挿入孔５１と第２台座部材４０の各第２挿入孔４１とは、相互にオフセットしていない。このことから、各台座部材３０、４０、５０を連結棒６０にて連結したとはいうものの、第２台座部材４０の上面に、下面を当接させて積重したに過ぎなかった。しかし、上述のように、札部１０の下面を台座２０の上面に当接させて、連結棒６０にて連結されると、第３台座部材５０は、札部１０と、第１、第２台座部材３０、４０との間にて連結棒６０から分離不能に連結される態様となる。よって、第３台座部材５０は、札部１０と、第１、第２台座部材３０、４０との間にて、ガタツクこと等なく堅固に連結され、位牌１を構成することとなる。
【００３４】
以上のことから、本考案に係る位牌１においては、札部１０と台座２０とは着脱可能に連結されていながらも、各々の装着孔同士及び、挿入孔同士の配設距離を異ならせ、連結棒６０を直線状からクランク状に曲折変形させたことによって、接着剤を用いることなく札部１０と台座２０とを容易には分離し難く連結している。
【００３５】
したがって、台座２０を手に持ち位牌１を倒立させたり、札部１０をつまんで、位牌１を持ち上げる等しても、札部１０を台座２０から分離させることなく、位牌１を移動させることができるとともに、台座２０を持ち、札部１０を手により引張すれば、装着孔１１内を連結棒６０が摺動して、装着孔１１が連結棒６０から抜脱し、札部１０を台座２０から分離させることができる。これにより、札部１０に文字を書き記すに際しては、札部１０を台座２０から分離させることができ、図４に示すように、台座２０から分離された札部１０によれば、机７０の平面上に札部１０を平行に載置することができ、筆記用具８０を持った手（図示しない）が台座２０に当たらず文字を書き記すことが妨害されない。よって、本考案によれば、接着剤を用いずに札部１０と台座２０とを容易に連結でき、さらに、容易に札部１０に文字を書き記すことができるペット用位牌１を実現できる。
【図面の簡単な説明】
【００３６】
【図１】本考案に係るペット用位牌の一例を示す分解斜視図である。
【図２】札部と台座とを連結する状態を示す分解斜視図である。
【図３】（ａ）は、本考案に係るペット用位牌の正面断面図であり、（ｂ）は、Ａ部拡大図である。
【図４】札部に文字を記す状態を示す斜視図である。
【図５】従来の位牌を示す斜視図である。
【符号の説明】
【００３７】
１    位牌（ペット用位牌）
１０  札部
１１  装着孔
２０  台座
２１、３１、４１、５１  挿入孔
３０、４０、５０  台座部材
６０  連結棒
【図１】
0003100790.tif 000003
【図２】
0003100790.tif 000004
【図３】
0003100790.tif 000005
【図４】
0003100790.tif 000006
【図５】
0003100790.tif 000007